(57)【特許請求の範囲】
【請求項１】
貯水タンクと、
前記貯水タンクの内部に配置される給水調節機構と、
前記貯水タンクの上方に位置する箱状の受水皿と、
前記受水皿の底部から前記内部に通じる管状の排水部と、
前記給水調節機構に接続され前記受水皿の底部に通じる給水管及び該給水管に接続された吐水管、該吐水管の先端に設けられた吐水部を有する吐水配管部と
を備え、
前記受水皿を、前記排水部の中心軸又は前記吐水配管部の垂直立ち上がり部の中心軸を回転軸として、前記貯水タンクに対して水平方向に９０度以上回転させることができることを特徴とする貯水タンクシステム。
【請求項２】
貯水タンクに付属する手洗い器であって、
前記貯水タンクの上方に位置する箱状の受水皿と、
前記受水皿の底部から前記貯水タンクの内部に通じる管状の排水部と、
前記内部から前記受水皿の底部に通じる給水管及び該給水管に接続された吐水管、該吐水管の先端に設けられた吐水部を有する吐水配管部と
を備え、
前記受水皿を、前記排水部の中心軸又は前記吐水配管部の垂直立ち上がり部の中心軸を回転軸として、前記貯水タンクに対して水平方向に９０度以上回転させることができることを特徴とする手洗い器。
【請求項３】
前記貯水タンクの上部に設けられた凹部に嵌め込まれる形状を有する凸部を前記受水皿の下面に有し、
前記回転時に前記凹部への嵌め込みから前記凸部が解放され、
前記受水皿が前記凹部の深さ分浮き上がることを特徴とする請求項２に記載の手洗い器。
【請求項４】
前記貯水タンクの上部に対して、前記受水皿の下面が常時１〜５ｍｍ離間していることを特徴とする請求項２に記載の手洗い器。
【請求項５】
前記回転運動の摺動軸受けを構成する前記貯水タンクとの接続部が、樹脂配管及び金属配管を含むことを特徴とする請求項２〜４のいずれか１項に記載の手洗い器。
【請求項６】
前記排水部の中心軸を前記回転軸とすることを特徴とする、請求項２〜５のいずれか１項に記載の手洗い器。
【請求項７】
前記垂直立ち上がり部の中心軸を前記回転軸とすることを特徴とする、請求項２〜５のいずれか１項に記載の手洗い器。
【発明の詳細な説明】
【技術分野】
【０００１】
本発明は、トイレ用設備に係り、特に貯水タンクシステム及びこの貯水タンクシステムの手洗い器に関する。
【背景技術】
【０００２】
特許文献１に示すような手洗い器付トイレにおいては、手洗い器が便器の後方の貯水タンクの上方に位置するため、腕を伸ばしてやや前傾しながらの手洗いを使用者に強いることになり、体勢的に負担が大きかった。又、手洗い器と使用者との間にある程度の距離があることで、手洗い時及び手洗い後の水はねが生じやすいことも問題であった。水はねが生じた部分は汚れやすくなり、そのままにしておくとカビが発生する等、衛生面において好ましくない。
【０００３】
手洗い時の水はねの問題を解決するために、特許文献２に記載の「トイレの手洗い器用水はね防止具」という、既設の手洗い器に後付け可能な水はね防止具が発明されている。特許文献２に記載の発明は、深めの水受けボウルによりボウル外への水はねを防止する。しかし、特許文献２に記載の発明を既設の手洗い器に設置したとしても、手洗い位置が変化するわけではないので、手洗い器と使用者との間の距離は変わらず、タオルやハンカチ等で拭くために手洗い後の濡れた手を移動させる際に、手から水滴が滴り落ちてしまう。水滴はトイレの床や便座等につくこととなり、やはり水はねの問題を根本から解決するには至らない。  
【先行技術文献】
【特許文献】
【０００４】
【特許文献１】特開２００２−２７６００４号
【特許文献２】特開２０１２−２４１３２８号
【発明の概要】
【発明が解決しようとする課題】
【０００５】
本発明は上記の問題に着目してなされたものであって、手洗い時及び手洗い後の水はねを低減する貯水タンクシステム及びこの貯水タンクシステムの手洗い器を提供することを目的とする。
【課題を解決するための手段】
【０００６】
上記目的を達成するために、本発明の第１の態様は、(a)貯水タンクと、(b)貯水タンクの内部に配置される給水調節機構と、(c)貯水タンクの上方に位置する箱状の受水皿と、(d)受水皿の底部から貯水タンクの内部に通じる管状の排水部と、(e)給水調節機構に接続され受水皿の底部に通じる給水管及びこの給水管に接続された吐水管、この吐水管の先端に設けられた吐水部を有する吐水配管部を備える貯水タンクシステムであることを要旨とする。第１の態様に係る貯水タンクシステムでは、受水皿を、排水部の中心軸又は吐水配管部の垂直立ち上がり部の中心軸を回転軸として、貯水タンクに対して水平方向に９０度以上回転させることができる。
【０００７】
本発明の第２の態様は貯水タンクに付属する手洗い器に関する。第２の態様に係る手洗い器は、(p)貯水タンクの上方に位置する箱状の受水皿と、(q)受水皿の底部から貯水タンクの内部に通じる管状の排水部と、(r)貯水タンクの内部から受水皿の底部に通じる給水管及びこの給水管に接続された吐水管、この吐水管の先端に設けられた吐水部を有する吐水配管部を備える手洗い器であることを要旨とする。第１の態様に係る手洗い器では、受水皿を、排水部の中心軸又は吐水配管部の垂直立ち上がり部の中心軸を回転軸として、貯水タンクに対して水平方向に９０度以上回転させることができる。
【０００８】
本発明によれば、手洗い時及び手洗い後の水はねを低減する貯水タンクシステム及びこの貯水タンクシステムの手洗い器を提供することができる。
【図面の簡単な説明】
【０００９】
【図１】本発明の第１実施形態に係る貯水タンクシステムを有するトイレの通常状態を示す斜視図である。
【図２】図１の上面図である。
【図３】図１のＡ−Ａ方向から見た正面断面図である。
【図４】図１のＢ−Ｂ方向から見た右側面断面図である。
【図５】第１実施形態に係る貯水タンクシステムを有するトイレの使用状態の一例を示す斜視図である。
【図６】図５の上面図である。
【図７】図５のＡ−Ａ方向から見た正面断面図である。
【図８】図５のＢ−Ｂ方向から見た右側面断面図である。
【図９】図３の排水部７に着目した拡大断面図である。
【図１０】図９の状態から、第１実施形態に係る手洗い器を貯水タンクから分離させた状態を示す図である。
【図１１】第１実施形態の第１変形例に係る排水部７ｂに着目した、図９と同様の部位に対応した拡大断面図である。
【図１２】図１１の状態から、第１実施形態の第１変形例に係る排水部７ｂを有する手洗い器を貯水タンク１ｂから分離させた状態を示す図である。
【図１３】第１実施形態の第２変形例に係る排水部７ｃに着目した、図９と同様の部位に対応した拡大断面図である。
【図１４】図１３の状態から、第１実施形態の第２変形例に係る排水部７ｃを有する手洗い器を貯水タンク１から分離させた状態を示す図である。
【図１５】本発明の第２実施形態に係る貯水タンクシステムの通常状態を示す斜視図である。
【図１６】図１５の上面図である。
【図１７】図１５のＡ−Ａ方向から見た正面断面図である。
【図１８】第２実施形態に係る貯水タンクシステムの使用状態の一例を示す斜視図である。
【図１９】図１８の上面図である。
【図２０】図１８のＡ−Ａ方向から見た正面断面図である。
【図２１】第１実施形態の第３変形例に係る排水部７ｂに着目した、図９と同様の部位に対応した拡大断面図である。
【図２２】図２２（ａ）は第１実施形態の第３変形例に係る排水部７ｂの下部ユニットおよびその周辺部の上面拡大図であり、図２２（ｂ）は図２２（ａ）の状態から第１実施形態の第３変形例に係る手洗い器を４５度回転させた場合の図であり、図２２（ｃ）は図２２（ｂ）の状態から第１実施形態の第３変形例に係る手洗い器を更に４５度回転させた場合の図である。
【図２３】第１実施形態の第４変形例に係る排水部７に着目した、図９と同様の部位に対応した拡大断面図である。
【図２４】図２４（ａ）は第１実施形態の第４変形例に係る排水部７の下部ユニットおよびその周辺部の上面拡大図であり、図２４（ｂ）は図２４（ａ）の状態から第１実施形態の第４変形例に係る手洗い器を４５度回転させた場合の図であり、図２４（ｃ）は図２４（ｂ）の状態から第１実施形態の第４変形例に係る手洗い器を更に４５度回転させた場合の図である。
【図２５】第１実施形態の第５変形例に係る排水部７に着目した、図９と同様の部位に対応した拡大断面図である。
【図２６】図２６（ａ）は第１実施形態の第５変形例に係る排水部７の下部ユニットおよびその周辺部の上面拡大図であり、図２６（ｂ）は図２６（ａ）の状態から第１実施形態の第５変形例に係る手洗い器を４５度回転させた場合の図であり、図２６（ｃ）は図２６（ｂ）の状態から第１実施形態の第４変形例に係る手洗い器を更に４５度回転させた場合の図である。
【図２７】その他の実施形態に係る排水部の下部ユニットおよびその周辺部の上面拡大図である。
【発明を実施するための形態】
【００１０】
以下において、図面を参照して、本発明の第１及び第２実施形態、変形例を説明する。以下の図面の記載において、同一又は類似の部分には同一又は類似の符号を付している。ただし、図面は模式的なものであることに留意すべきである。したがって、具体的な装置等は以下の説明から理解できる技術的思想の趣旨を参酌してより多様に判断すべきものである。
【００１１】
又、以下に示す本発明の第１及び第２実施形態、変形例は、本発明の技術的思想を具体化するための装置及び物質、方法を例示するものであって、本発明の技術的思想は、装置及び物質の材質、形状、構造、配置等を下記のものに特定するものではない。本発明の技術的思想は、本発明の第１及び第２実施形態、変形例で記載された内容に限定されず、特許請求の範囲に記載された発明特定事項の有機的結合が規定する技術的範囲内において、種々の変更を加えることができる。
【００１２】
（第１実施形態）
本発明の第１実施形態に係る貯水タンクシステムは、図１に示すように、トイレの貯水タンク１と、貯水タンク１に付属する手洗い器を備える。手洗い器は、貯水タンク１の上方に位置する箱状の受水皿（１１、３）と、受水皿（１１、３）から貯水タンク１の内部に通じる管状の排水部７と、吐水配管部（４４、６、５）を備える。受水皿（１１、３）は、貯水タンク１の上方に位置する水受板１１と、水受板１１の上面の周縁に接続され、水受板１１の上面の上方に構成される空間を箱状に囲む側壁部３を有する。排水部７は、受水皿（１１、３）の底部を構成する水受板１１の上面から下面に向かい、貯水タンク１の内部に通じる。吐水配管部（４４、６、５）は、貯水タンク１の内部から水受板１１の上面に向かって伸び、少なくとも一部が可撓性を有する給水管４４と、給水管４４の上端に接続され水受板１１の上方に向かって伸びる吐水管６と、吐水管６の先端に設けられた吐水部５を有する。本発明の第１実施形態に係る手洗い器の受水皿（１１、３）は図４に示すように、排水部７の中心を垂直方向（鉛直方向）に伸びる中心軸を回転軸として、貯水タンク１に対して水平方向に９０度以上回転させることができる。例えば、図９に示すように、排水部７の円柱部分を回転運動の摺動軸受けとして、受水皿（１１、３）を回転させることができる。受水皿（１１、３）を回転させることにより、吐水管６と吐水管６の先端に設けられた吐水部５は、貯水タンク１に対して水平方向に９０度以上回転させることができる。受水皿（１１、３）が回転すると、可撓性を有する給水管４４が、受水皿（１１、３）の回転に追随する。例えば、図１及び図２等に示すように受水皿（１１、３）の水受面の一部に物置台１３を設けた構成では、水受板１１が排水部７の中心軸を回転軸として回転すると、可撓性を有する給水管４４が追随し、受水皿（１１、３）の動きと共に吐水管６と吐水管６の先端に設けられた吐水部５を回転させることができる。
【００１３】
図１及び図２等に示すように、物置台１３は凸状の物置面１７を上面に有し、物置面１７には手洗い用石鹸や液体ハンドソープ等を戴置することができる。図１及び図２等においては、物置台１３は使用者の奥側、かつ、左側に配置されているが、物置台としての用を為し、手洗い時の障害とならないのであれば、位置は特に限定しない。第１実施形態に係る手洗い器においては、物置台１３の物置面１７に向かって、可撓性を有する給水管４４の上部が伸び、物置面１７の上面において、吐水管６が可撓性を有する給水管４４の上端に接続される構造を例示している。
【００１４】
図３においては、吐水部５の吐出口は、水が吐出される部分として矩形で図示されているが、形状は問わない。吐水部５は、貯水タンク１の内部で折れ曲がった形状の給水管４４の上端に接続された吐水管６の先端に設けられている。給水管４４の形状は問わない。給水管４４を流れる水は、貯水タンク１の内部でボールタップ４３によって流量が制御される。ボールタップ４３を構成する配管は、貯水タンク１の外側の給水ホース４１に接続されている。ボールタップ４３はバルブ４５を有し、バルブ４５により給水ホース４１側から吐水部５への給水がコントロールされている。給水管４４は、貯水タンク１の内部と外部とで別個の部材であるが、同一の部材から成るものでもよい。図３及び図４に示す給水管４４は、少なくとも貯水タンク１の内部側の部材においては可撓性部材が好ましく、蛇腹管等の形状可変な部材がより好ましい。給水管４４の貯水タンク１の内部側の部材は、塩化ビニル樹脂、アクリル樹脂、ポリエチレン樹脂、合成ゴム等、様々採用することができる。吐水部５の吐出口からは、給水管４４を通ってきた水が吐出される。吐出口からの吐出方法は、水圧を分散させる観点から、如雨露タイプの吐出口からのシャワー形式でもそれ以外でもよい。
【００１５】
第１実施形態に係る貯水タンクシステムを構成する手洗い器は、図１等に示す貯水タンク１の上方に配置される。貯水タンク１は、便器本体８３の奥側の上方部、かつ、便蓋８１の奥側に設置される、便器洗浄のための水を貯水するタンクである。貯水タンク１は陶器製であっても樹脂製であってもよい。陶器製の場合は、表面に樹脂コーティングが施されていてもよい。樹脂製の場合は、高強度かつ撥水性に優れた有機ガラス系素材や、加工性及び耐衝撃性に優れたＡＢＳ樹脂、高強度かつ耐酸性に優れたＰＢＴ樹脂等を用いることができる。貯水タンク１は、図３及び図４、図５等に示すように、上部に板状の第１辺縁部３１及び第２辺縁部３２を有する。上側の第１辺縁部３１及び下側の第２辺縁部３２は、貯水タンク１の側面部の上部から内側に９０度折り返す二段の額縁状の構造体である。第１実施形態に係る手洗い器においては、第１辺縁部３１と第２辺縁部３２の幅や厚みは同程度であるが、互いに異なっていてもよい。又、上側の第１辺縁部３１のみ有し下側の第２辺縁部３２を有さなくてもよい。更に、第１辺縁部３１及び第２辺縁部３２の両方を有さずともよい。第１辺縁部３１及び第２辺縁部３２は、貯水タンク１の側面部の一部に設けられていてもよい。第１辺縁部３１及び第２辺縁部３２は、図９等に示すように、中空部材であってもよいし、中空部材でなくてもよい。第２辺縁部３２についても同様である。
【００１６】
第１実施形態に係る手洗い器を設置する貯水タンク１においては、下側の第２辺縁部３２の一部から延長するように突縁部３３が水平方向に設けられている。突縁部３３は中心軸が回転軸を構成する排水部７が貫通する部位であり、受水皿（１１、３）の回転及び脱着が可能な程度に摺動軸受けの位置を固定する部位である。第１実施形態に係る貯水タンク１においては、突縁部３３は下側の第２辺縁部３２に延長するように設けられているが、上側の第１辺縁部３１に設けられていてもよい。又、第１辺縁部３１及び第２辺縁部３２の両方を有さない貯水タンクの場合は、その貯水タンクの側面部の上端から水平方向に延長するように突縁部３３が設けられてもよい。突縁部３３は、図９等に示すように、中空部材であってもよいし、中空部材でなくてもよい。突縁部３３は樹脂製であってもよいし、樹脂コーティングが施されていてもよい。
【００１７】
図１〜８に示すように、受水皿（１１、３）は吐水部５から吐出される水を受ける。受水皿（１１、３）の底部の上面に対向するように下面がある。水受面となる受水皿（１１、３）の底部の上面には、排水部７に向かって勾配があってもよい。水受板１１の下面は貯水タンク１から離間している方が、排水部７の円柱部分を回転摺動部分として受水皿（１１、３）が回転する時に、本発明の第１実施形態に係る水受板１１の下面と貯水タンク１の上面との摩擦を低減することができるため好ましい。離間の程度は、貯水タンク１の内部に貯められた水から生じる湿気の影響や衛生的な観点から、１〜５ｍｍ程度が好ましい。水受板１１の下面が貯水タンク１から離間していない場合であれば、水受板１１の下面及び貯水タンク１の上部は樹脂製又は樹脂コーディングされていることが、摩擦の観点からは好ましい。水受板１１の形状は図１等においては略矩形であるが、角がとれた角丸四角形ってあってもよいし、楕円形状であってもよい。受水皿（１１、３）の素材は、全体が樹脂であっても陶器であってもよい。
【００１８】
図１〜８に示すように、側壁部３は、水受板１１の上面の周縁から立ち上がるように設けられている。図１等においては、側壁部３は水受板１１と一体型の構造で示されているが、別々の構造を接続してもよい。図１等においては、側壁部３は排水部７や吐水配管部（４４、６、５）に近い方が高い構造であるが、これは一例に過ぎない。側壁部３の壁の高さはどの部位でも同じ程度でもよいし、部位により異なるように設定してもよい。又、図１等においては、側壁部３は水受板１１の上面の周縁すべてに設けられているが、水受板１１の一部に側壁部３が設けられていなくてもよい。
【００１９】
水受板１１の上面と側壁部３とで上部が開放された箱型形状を成す。この箱型形状は、図３及び図４に示すように、中空部材であってもよいし、中空部材でなくてもよい。
【００２０】
図１〜８に示すように、排水部７は受水皿（１１、３）の水受面の四隅のうち、使用者から見て手前側、かつ、左側に設けられている。図３及び図４に示すように、排水部７は受水皿（１１、３）の水受面から貯水タンク１の内部に通じる管状部材である。排水部７は、図３及び図４における中空の水受板１１の上面及び下面を貫通し、更に、図２〜図４における突縁部３３を貫通し、貯水タンク１の内部に通じている。排水部７は、水受板１１で受けた水を貯水タンク１の内部に排水する機能を有する。排水部７の長さは、図３において、排水部７の下端が、満杯状態の水９１の水面に接触しない程度であればいずれでもよい。排水部７の下端は、満杯状態の水９１の水面から１〜５ｃｍ程度離間しているのが好ましい。第１実施形態における水９１の「満杯状態」とは、吐水部５から水が吐出されていない静状態での、あらかじめ設定された所定量となっている状態のことを指す。水９１が満杯状態から水が供給されると、余分な水はオーバーフロー管５５から便器本体８３に向けて排水されるため、水９１の水位は上がり過ぎることはない。
【００２１】
排水部７は、図１等においては左側であるが、使用者の手前側であれば右側に設けられていてもよい。図１及び図２に示すように、排水部７の上部には嵌め込み型のキャッチャーが設けられていてもよい。
【００２２】
図３において、便器洗浄のためにレバー１９を動作させると、レバー１９に接続された棒状の連結部５１が動き、曲がった棒状の連結部５１の先端に接続されたゴム製のフロートバルブ５３が排水弁５７から浮き上がる。すると、満杯状態であった水９１が便器本体８３側に流れ込み、便器が洗浄される。ある程度まで水９１の水位が下がると、再びフロートバルブ５３が自重で排水弁５７に蓋をする。又、水９１の水位が下がると、水９１の水面に浮いている浮き玉４９も伴って下降し、浮き玉４９に連結された浮き玉支持棒４７が下がり、バルブ４５に接続されバルブ４５を駆動するボールタップ４３を動作させ、給水ホース４１側から吐水部５への給水が開始される。吐水部５へ給水された水は、第１実施形態に係る手洗い器の受水皿（１１、３）の水受面で受けられ、排水部７から貯水タンク１の内部に貯められていく。貯められた水９１の水位が所定の位置までくると、浮き玉４９も所定の位置に戻り、間接的に連結しているバルブ４５が栓をし、給水ホース４１側から吐水部５への給水が停止され、再び貯水タンク１の内部の水９１が満杯状態となる。第１実施形態においては、バルブ４５と、バルブ４５に接続されバルブ４５を駆動するボールタップ４３と、浮き玉支持棒４７及び浮き玉４９で、「給水調節機構（４５、４３、４７、４９）」を構成するものとする。
【００２３】
第１実施形態に係る貯水タンク１は、人間の腰程度に位置するロータンク式であれば、図１等に示すような便器本体８３にタンクを載せる「密結型」であってもよいし、壁に固定されたタンクから洗浄管で便器と接続する「平付型」であってもよい。貯水タンク１に貯水する方法は、タンクに貯水ができるのであれば、図３で示す貯水タンク１の内部構造を用いた貯水方法でもよいし、それ以外であってもよい。
【００２４】
図１〜図３等に示すように、第１実施形態に係る手洗い器は、タオル掛け（１５、２１、２３）を有する。タオル掛け（１５、２１、２３）は、タオルを掛ける部分となるバー１５と、バー１５の両端を固定する第１保持具２１及び第２保持具２３から構成される。第１保持具２１及び第２保持具２３は、側壁部３に固定されている。図１等に示すように、第１保持具２１は第２保持具２３より長く突出し、手で握ることができ、手洗い器の回転移動を容易にする。第２保持具２３も、図１等に示す第１保持具２１と同様の長さで突出してもよい。第１保持具２１は、使用時は図１等の形態となるが、使用しない時は下方や上方等に折り曲げて形態を変化させることができるものであってもよい。
【００２５】
（回転動作）
第１実施形態に係る手洗い器は、図１〜図４に示す通常状態から図５〜図８に示す使用状態へ、貯水タンク１に対する相対的な位置を変化させることができる。第１実施形態における「通常状態」とは、受水皿（１１、３）が回転しておらず、貯水タンク１に蓋をするように重なった静状態を指し、「使用状態」とは、通常状態から受水皿（１１、３）が任意の角度まで回転した状態を指す。例えば、図１等に示す第１保持具２１の突出部分を手で掴み、手前側に引くことで、排水部７の円柱部分を回転摺動部分として、図５等に示す状態まで手洗い器ごと受水皿（１１、３）を回転させることができる。受水皿（１１、３）の回転角度は少なくとも０度〜９０度までの範囲であれば、使用者が使用時に任意に決めることができ、任意の回転角度で第１実施形態に係る手洗い器を停止させることができる。９０度を超えて受水皿（１１、３）を回転させることができてもよい。回転速度も使用者の任意である。受水皿（１１、３）を回転させるタイミングは、吐水部５からの吐水が開始される前、即ち、レバー１９を動作させて便器洗浄を行う前でも良いし、吐水部５からの吐水が開始された後、即ち、レバー１９を動作させて便器洗浄を始めた後であってもよい。勿論、吐水部５からの吐水を伴わずとも、例えば貯水タンク１の内部部材や水９１の水位の確認等のために、第１実施形態に係る受水皿（１１、３）を任意の角度まで回転させることも可能である。図５等の状態へ回転させる場合だけでなく、図５等の状態から通常状態である図１等の状態へ戻す際にも同様である。
【００２６】
第１実施形態に係る手洗い器は、受水皿（１１、３）の回転角度を所定の範囲内に収めるために、水受板１１又は側壁部３に回転ストッパーを設けてもよい。例えば、水受板１１の下面に貯水タンク１の内部に向けて突出した回転ストッパーを固定し、手洗い器を任意の角度まで回転させた時に、その回転ストッパーが貯水タンクの第１辺縁部３１に接触し、それ以上の角度の回転を抑制する等である。所定の範囲に回転角度を収める回転ストッパーを設けることで、受水皿（１１、３）の過度の回転を抑制し、受水皿（１１、３）の部材がトイレの壁等に衝突することによる壁又は物品の破損や人体的事故等を防止することが可能となる。図５等の状態へ回転させる場合だけでなく、図５等の状態から通常状態である図１等の状態へ戻す際にも同様であり、受水皿（１１、３）が図１等の状態から更に奥側に回転していかないように、回転ストッパーを設けることも可能である。
【００２７】
第１実施形態に係る受水皿（１１、３）の回転は、使用者が自身のタイミングで動作させる「手動」であってもよいし、レバー１９の動作と連動する「自動」であってもよい。自動の場合は、別途電子的な信号を送信する専用のボタンを設け、そのボタンを押下することで、使用者のタイミングで自動に回転するようにしてもよい。又、自動の場合は、回転することを使用者へ事前にアナウンスするため、アラーム音や音声アナウンスを発するようにプログラムしてもよい。図５等の状態へ回転させる場合だけでなく、図５等の状態から通常状態である図１等の状態へ戻す際にも同様である。
【００２８】
第１実施形態に係る手洗い器を、図１等の通常状態から図５等の使用状態まで回転させる際は、特に図２、３及び図６、７で示すように、貯水タンク１内部側の給水管４４は、突縁部３３の縁に沿った動線で動くこととなる。給水管４４が第１辺縁部３１に接触するまで、第１実施形態に係る受水皿（１１、３）は回転することができる。貯水タンク１内部側の給水管４４については、給水管４４にかかる負荷を軽減する観点からは、第１実施形態に係る手洗い器が通常状態と使用状態のちょうど中間地点にある時に、ボールタップ４３との接続部から上方に立ち上がった部分から吐水管６との接続部までが、略垂直となるのが好ましい。
【００２９】
（排水部の構造）
図９及び図１０に示すように、第１実施形態に係る排水部７は、第１配管６１、第２配管６５及び第３配管６３の３層構造を有する。第１配管６１が最も内側で最も長く、第２配管６５は第１配管６１の外側に位置し、第３配管６３は第２配管６５の外側に位置する。第１配管６１の内径及び外径は３つの配管の中で最も小さく、第３配管６３の内径及び外径は最も大きい。第１配管６１は受水皿（１１、３）の水受面から排水部７全体の下端までの長さを有し、第２配管６５と第３配管６３は突縁部３３の上面から排水部７全体の下端までに長さであり、互いに長さは同程度である。吐水部からの水は、第１配管６１の内側を通って貯水タンク１の内部に流れ込む。図９においては、第１配管６１、第２配管６５及び第３配管６３の下端はすべて揃っているが、水が第１配管６１を通って貯水タンク１に流れ込めばよいので、それぞれの下端は揃う必要はない。
【００３０】
図９に示すように、第１配管６１、第２配管６５及び第３配管６３はそれぞれ、上端において外側への折り返し構造を有する。その折り返し構造が「耳」となり、第１配管６１、第２配管６５及び第３配管６３はそれぞれ、他の部材の貫通孔の縁に引っかかるように接続し、それぞれ貫通孔の下に落ち込んでいかないようになっている。図９に示すように、排水の観点からは、第１配管６１の「耳」部分が受水皿（１１、３）の水受面に埋没するように設置されることが好ましい。即ち、受水皿（１１、３）の水受面の排水部７を設置予定の貫通孔の縁には、第１配管６１の「耳」の幅及び厚さ分の窪みが設けられることになる。第１配管６１、第２配管６５及び第３配管６３のそれぞれの「耳」の下面と、その下面に接する他部材との間に、平パッキンやＯリング等のゴムパッキン類を設けてもよい。
【００３１】
又、第１実施形態に係る排水部７は、水受板１１の下面１２と突縁部３３の上面との間に、第１配管６１の外側を一周するように、第１固定具６７ａを有する。更に、第１実施形態に係る排水部７は、突縁部３３の下方に、第３配管６３の外側を一周するように、第２固定具６９を有する。第１固定具６７ａは下面１２より下方に位置し、第１配管６１の外側に固定され、第１配管６１が水受板１１の上面側に飛び出さないようにしている。第２固定具６９は貯水タンク１の内部に位置し、第３配管６３の外側に固定され、第３配管６３及び第２配管６５が突縁部３３の上面側に飛び出さないようにしている。
【００３２】
図９に示す第１固定具６７ａとしてナット状の部材を採用し、第１配管６１の外側の一部又は全部にねじ山部位を設け、そのねじ山部位に第１固定具６７ａを固定してもよい。又、図９に示す第１固定具６７ａとして、第１配管６１の外側と強い摩擦力を生じる部材を採用し、その摩擦力でもって第１配管６１に第１固定具６７ａを固定してもよい。第２固定具６９及び第３配管６３との接続関係においても同様である。
【００３３】
図９に示す第１配管６１は、第２配管６５の内側に沿う形状であり、排水部７を構成している円柱状（円筒状）の第１配管６１の外側壁が、円筒状の第２配管６５の内側壁との間で円筒型摺動軸受け（円筒型ころがり軸受け）の構造をなしている。第２配管６５は、第３配管６３の内側に沿う形状である。第２配管６５と第３配管６３は完全に固定されていてもよいし、第２配管６５と第３配管６３とが一体成型されていてもよいが、第１配管６１と第２配管６５は、図１０に示すように分離可能であることが好ましい。第１配管６１及び第３配管６３は、耐久性の関係上、金属素材であることが好ましい。第１配管６１及び第３配管６３の素材として、黄銅（真鍮）やステンレス鋼等を採用することができる。第２配管６５は、第１配管６１及び第３配管６３に挟まれる形となり、通常は露出することがないため、かつ、第1配管６１の脱着をスムーズに行うため、硬質な樹脂素材であることが好ましい。第２配管６５の素材として、塩化ビニル樹脂、アクリル樹脂、ポリエチレン樹脂等の各種樹脂を採用することができる。第１配管６１、第２配管６５及び第３配管６３がすべて金属素材である場合は、配管同士の隙間に入り込んだ湿気・水分により、隙間にサビや腐食が生じやすいので好ましくない。隣接する配管同士が異種金属である場合には、イオン化傾向の相違により電位差が生じ、電流が流れることでサビや腐食が生じる。同種金属であっても、表面状態のわずかな相違により電位差が生じ、やはりサビや腐食が生じやすい。配管の隙間にサビや腐食が生じると、受水皿（１１、３）の回転動作や脱着動作に支障を来し、又、他の部材の故障の原因ともなり得るため問題である。
【００３４】
図９から図１０への動作は、第１実施形態に係る受水皿（１１、３）の側壁部３等に手をかけて上方に持ち上げることで容易に行うことができる。図１０の状態では、排水部７については、第１配管６１及び第１固定具６７ａから成る上部ユニット（６１、６７ａ）と、第２配管６５、第３配管６３及び第２固定具６９から成る下部ユニット（６５、６３、６９）とに分離される。図１０から図９への動作も同様に、第１実施形態に係る受水皿（１１、３）の側壁部３に手をかけて、第１配管６１を第２配管６５に上から挿入するように設置することで容易に行うことができる。回転時は受水皿（１１、３）に伴って上部ユニット（６１、６７ａ）が動くが、下部ユニット（６５、６３、６９）のうち第２配管６５も同時に動いてもよい。
【００３５】
図９に示すように、水受板１１の下面１２と第１辺縁部３１の上面とはわずかに離間しているのが好ましい。図９に示すのは排水部７近辺の一部であり、図示は省略するが、水受板１１の下面１２と第１辺縁部３１の上面は全面で離間している。即ち、第１実施形態に係る水受板１１と貯水タンク１とは、排水部７及び給水管４４を介して接続があるが、それ以外の部分での接触はない。よって、第１実施形態に係る手洗い器の重量は、排水部７及び突縁部３３から構成される「接続部」のみで受けることとなる。給水管４４の貯水タンク１の内部側は、受水皿（１１、３）の回転動作に伴って動く構造であり、そのための「遊び」が必要となるため、給水管４４とボールタップ４３の接続部では手洗い器の重量は受けない。水受板１１の下面１２と第１辺縁部３１の上面の離間の程度は、貯水タンク１の内部に貯められた水から生じる湿気の影響や衛生的な観点から、１〜５ｍｍ程度が好ましい。
【００３６】
図９に示す、水受板１１の下面１２と第１辺縁部３１の上面との離間の程度は、第１固定具６７ａの高さを調節することにより、調整することができる。即ち、第１固定具６７ａは第１配管６１を水受板１１に固定する機能と、水受板１１の下面１２と第１辺縁部３１の上面とを離間させる機能とを有する固定具である。
【００３７】
（有利な効果）
第１実施形態に係る手洗い器によれば、受水皿（１１、３）の回転動作により、水受板１１及び吐水部５の吐出口が使用者の手前側に近づくため、使用者の姿勢に無理なく手洗いを可能とする。例えば、吐出口が水受板１１の中心の真上に位置し、横３３ｃｍ及び奥行き２２ｃｍの第１実施形態に係る手洗い器において、図１等の通常状態と図５等の使用状態の吐出口の位置を比較すると、使用状態の方が１８〜２３ｃｍも使用者の手前側に寄る結果となった。第１実施形態に係る手洗い器によれば、受水皿（１１、３）を回転させた使用状態では図８に示すような配置となるので、腰部等の関節部位に慢性的な痛みを抱える人や、背の低い子供に対しても、手洗い時に前傾姿勢を強いることが無くなる。
【００３８】
第１実施形態に係る手洗い器によれば、受水皿（１１、３）の回転動作により、水受板１１及び吐水部５の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００３９】
第１実施形態に係る手洗い器によれば、手洗い器の水受板１１の下面を貯水タンク１の第１辺縁部３１の上端面から離間させておくことで、受水皿（１１、３）の回転時の摩擦を低減することができ、回転動作が容易となる。
【００４０】
第１実施形態に係る手洗い器によれば、排水部７を構成する第１配管６１及び第３配管６３が金属素材、第２配管６５が樹脂素材である場合、排水部の配管に生じやすいサビや腐食が起こりにくく、受水皿（１１、３）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００４１】
第１実施形態に係る手洗い器によれば、回転させる前は、図１等の通り、貯水タンク１の上方に位置させておけるので、邪魔にもならない。
【００４２】
第１実施形態に係る手洗い器によれば、貯水タンク１からの受水皿（１１、３）の取り外しが容易に行えるため、貯水タンク１の内部部材のメンテナンスも容易に行うことができる。
【００４３】
（第１実施形態の第１変形例）
図１１及び図１２に、第１実施形態の第１変形例として、第１辺縁部を有さない貯水タンク１ｂに接続する排水部７ｂの構造を示す。排水部７ｂの構造のうち、第１配管６１、第２配管６５、第３配管６３及び第２固定具６９は、図９及び図１０に示すような第１実施形態に係る排水部７と同様の部材であり、同様の接続形態であり、同様の機能を果たす。第１実施形態の第１変形例に係る排水部７ｂは、第１実施形態に係る排水部７とは、第１固定具６７ｂの点で異なる。即ち、第１変形例に係る第１固定具６７ｂは、第１実施形態に係る第１固定具６７ａより高さが低い。第１変形例に係る貯水タンク１ｂには第１辺縁部がなく、第２辺縁部の延長として突縁部３３を有するため、突縁部３３の上面と水受板１１の下面１２が離間するだけの高さが、第１固定具６７ｂにあればよい。
【００４４】
第１変形例に係る貯水タンク１ｂは、第２辺縁部の延長として突縁部３３を有するが、突縁部３３を有するのであれば第２辺縁部は必ずしも必要ない。図１１及び図１２に示されていない構成部材は、第１実施形態に係る手洗い器及び貯水タンク１と同様である。
【００４５】
第１変形例に係る手洗い器によれば、受水皿（１１、３）の回転動作により、水受板１１及び吐水部５の吐出口が使用者の手前側に近づくため、使用者の姿勢に無理なく手洗いを可能とする。第１変形例に係る手洗い器によれば、腰部等の関節部位に慢性的な痛みを抱える人や、背の低い子供に対しても、手洗い時に前傾姿勢を強いることが無くなる。
【００４６】
第１変形例に係る手洗い器によれば、受水皿（１１、３）の回転動作により、受水皿（１１、３）及び吐水部の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００４７】
第１変形例に係る手洗い器によれば、手洗い器の水受板１１の下面１２を貯水タンク１ｂの突縁部３３から離間させておくことで、受水皿（１１、３）の回転時の摩擦を低減することができ、回転動作が容易となる。
【００４８】
第１変形例に係る手洗い器によれば、排水部７ｂを構成する第１配管６１及び第３配管６３が金属素材、第２配管６５が樹脂素材である場合、排水部の配管に生じやすいサビや腐食が起こりにくく、受水皿（１１、３）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００４９】
第１変形例に係る手洗い器によれば、回転させる前は貯水タンク１ｂの上方に位置させておけるので、邪魔にもならない。
【００５０】
第１変形例に係る手洗い器によれば、貯水タンク１ｂからの受水皿（１１、３）の取り外しが容易に行えるため、貯水タンク１ｂの内部部材のメンテナンスも容易に行うことができる。
【００５１】
（第１実施形態の第２変形例）
図１３及び図１４に、第１実施形態の第２変形例に係る排水部７ｃの構造を示す。排水部７ｃは、第１配管６５ｃ及び第２配管６３ｃの２本の配管を有する。第１配管６５ｃは、第１実施形態に係る第１配管６１と同様に、受水皿（１１、３）の水受面から排水部７ｃ全体の下端までの長さを有するが、第１実施形態に係る第１配管６１と異なる点は、樹脂素材が好ましい点である。第１配管６５ｃの素材として、塩化ビニル樹脂、アクリル樹脂、ポリエチレン樹脂等の各種樹脂を採用することができる。第２配管６３ｃとしては、第１実施形態に係る第３配管６３と同様に金属素材が好ましい。第２配管６３ｃの素材として、黄銅（真鍮）やステンレス鋼等を採用することができる。第１実施形態の第２変形例に係る排水部７ｃにおいて、第１配管６５ｃと第２配管６３ｃとが異素材であることで、排水部７ｃ自体の耐久性向上と、サビや腐食の低減を実現する。図１４に示すように、第１配管６５ｃと第２配管６３ｃは分離可能であることが好ましい。
【００５２】
第２変形例に係る手洗い器においては、配管が２本である以外は、第１実施形態に係る手洗い器と同様の部材を有し、それぞれが同様の接続形態であり、同様の機能を果たす。
【００５３】
第２変形例に係る手洗い器によれば、受水皿（１１、３）の回転動作により、受水皿（１１、３）及び吐水部５の吐出口が使用者の手前側に近づくため、使用者の姿勢に無理なく手洗いを可能とする。第２変形例に係る手洗い器によれば、腰部等の関節部位に慢性的な痛みを抱える人や、背の低い子供に対しても、手洗い時に前傾姿勢を強いることが無くなる。
【００５４】
第２変形例に係る手洗い器によれば、受水皿（１１、３）の回転動作により、受水皿（１１、３）及び吐水部５の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００５５】
第２変形例に係る手洗い器によれば、手洗い器の水受板１１の下面１２を貯水タンク１の第１辺縁部３１から離間させておくことで、受水皿（１１、３）の回転時の摩擦を低減することができ、回転動作が容易となる。
【００５６】
第２変形例に係る手洗い器によれば、排水部７ｃを構成する第１配管６５ｃが樹脂素材、第２配管６３ｃが金属素材である場合、排水部の配管に生じやすいサビや腐食が起こりにくく、受水皿（１１、３）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００５７】
第２変形例に係る手洗い器によれば、受水皿（１１、３）を回転させる前は貯水タンク１の上方に位置させておけるので、邪魔にもならない。
【００５８】
第２変形例に係る手洗い器によれば、貯水タンク１からの受水皿（１１、３）の取り外しが容易に行えるため、貯水タンク１の内部部材のメンテナンスも容易に行うことができる。
【００５９】
（第１実施形態の第３変形例）
図２１及び図２２に、第１実施形態の第３変形例として、第１辺縁部を有さない貯水タンク１ｃに接続する排水部７ｂの構造を示す。排水部７ｂは、第１実施形態の第１変形例に係る排水部７ｂと同様の構造であり、同様の機能を果たす。第３変形例に係る貯水タンク１ｃには第１辺縁部がなく、第２辺縁部の延長として突縁部３３ｃを有する。図２１に示すように、第３変形例に係る貯水タンク１ｃは上部周縁に上方に突出した上縁部を有するが、この上縁部は第１変形例に係る貯水タンク１ｂには無い。又、図２１に示すように、第３変形例に係る受水皿（１１、３ｃ）は下部周縁に下方に突出した下縁部を有するが、この下縁部は第１変形例に係る受水皿（１１、３）には無い。図２１に示すように、第３変形例に係る貯水タンク１ｃの上縁部と受水皿（１１、３ｃ）の下縁部は通常状態で接する。従って、第１変形例に係る手洗い器においては、貯水タンク１ｂと受水皿（１１、３）とは離間するが、第３変形例に係る手洗い器においては、貯水タンク１ｃと受水皿（１１、３ｃ）は通常状態で接する点が異なる点である。第３変形例に係る貯水タンク１ｃは、第２辺縁部の延長として突縁部３３ｃを有するが、突縁部３３ｃを有するのであれば第２辺縁部は必ずしも必要ない。図２１に示されていない構成部材は、第１実施形態の第１変形例に係る手洗い器及び貯水タンク１ｂと同様である。
【００６０】
又、第３変形例に係る受水皿（１１、３ｃ）の下面１２には、図２１に示すように、凸部として第１半球体７１ａ及び第２半球体７１ｂが固定されている。第１半球体７１ａ及び第２半球体７１ｂはそれぞれ、通常状態において、突縁部３３ｃの上面に設けられた第１凹部７３ａ及び第２凹部７３ｂに嵌め込まれている。第１凹部７３ａ及び第２凹部７３ｂはそれぞれお椀型、即ち、球欠形状の窪みであり、第１半球体７１ａ及び第２半球体７１ｂの下部側とほぼ隙間なく接することができる。ここで、一般的に「球欠形状」とは、球形をある平面により分割した際の一方の立体のことであり、球冠と割平面によって囲まれた立体のことを指す。第１半球体７１ａ及び第２半球体７１ｂは、便宜上「半球体」としたが、半球以外の球欠形状であってもよい。第１半球体７１ａ及び第２半球体７１ｂは、図２１においては樹脂製であるが、金属製であってもよい。第１凹部７３ａ及び第２凹部７３ｂの窪みの深さは１〜５ｍｍ程度が好ましく、２〜３ｍｍ程度がより好ましい。第３変形例においては半球体及び凹部は２組であるが、３組以上であってもよい。
【００６１】
図２２（ａ）〜（ｃ）を用いて、第３変形例に係る手洗い器の回転動作時の、排水部７ｂの周辺部の挙動について説明する。まず図２２（ａ）は通常状態の図２１に示す排水部７ｂの下部ユニット（６５、６３、６９）を上から見た図である。点線の円で示された第１半球体位置７１ａｐは第１半球体７１ａの位置を示すものであり、図２２（ａ）の場合は、第１半球体７１ａは第１凹部７３ａのちょうど真上に位置することを示す。同様に、点線の円で示された第２半球体位置７１ｂｐは第２半球体７１ｂの位置を示すものであり、図２２（ａ）の場合は、第２半球体７１ｂは第２凹部７３ｂのちょうど真上に位置することを示す。即ち、第１半球体７１ａ及び第２半球体７１ｂはそれぞれ第１凹部７３ａ及び第２凹部７３ｂの窪みに嵌め込まれている。
【００６２】
図２２（ａ）の状態から図２２（ａ）の矢印方向に第３変形例に係る手洗い器を４５度回転させると、図２２（ｂ）の状態となり、第３変形例に係る手洗い器の受水皿（１１、３ｃ）に固定されている第１半球体７１ａ及び第２半球体７１ｂの位置が変動する。図２２（ｂ）においては、第１半球体位置７１ａｐ及び第２半球体位置７１ｂｐはそれぞれ、第１凹部７３ａ及び第２凹部７３ｂの外側である。即ち、図２２（ｂ）においては、第１半球体７１ａ及び第２半球体７１ｂはそれぞれ、第１凹部７３ａ及び第２凹部７３ｂへの嵌め込みから解放され、突縁部３３ｃにおける窪み外の平面に接している。図２２（ｂ）の状態においては、図２１に示す排水部７ｂの下部ユニット（６５、６３、６９）から、上部ユニット（６１、６７ｂ）が手洗い器ごと凹部の深さ分浮き上がることになる。同時に、図２１及び図２２（ａ）の通常状態では接していた貯水タンク１ｃと受水皿（１１、３ｃ）との間も、凹部の深さ分離間することになる。
【００６３】
図２２（ｂ）の状態から図２２（ｂ）の矢印方向に第３変形例に係る手洗い器を更に４５度回転させると、図２２（ｃ）の状態となり、第３変形例に係る手洗い器の受水皿（１１、３ｃ）に固定されている第１半球体７１ａ及び第２半球体７１ｂの位置が更に変動する。図２２（ｃ）においては、図２２（ｂ）と同様、第１半球体位置７１ａｐ及び第２半球体位置７１ｂｐはそれぞれ、第１凹部７３ａ及び第２凹部７３ｂの外側であり、第１凹部７３ａ及び第２凹部７３ｂへの嵌め込みから解放された状態である。図２２（ｃ）の状態においては、図２２（ｂ）の場合と同様、図２１に示す排水部７ｂの下部ユニット（６５、６３、６９）から、上部ユニット（６１、６７ｂ）が手洗い器ごと凹部の深さ分浮き上がっている。同時に、図２１及び図２２（ａ）の通常状態では接していた貯水タンク１ｃと受水皿（１１、３ｃ）との間も、凹部の深さ分離間している。
【００６４】
貯水タンク１ｃと受水皿（１１、３ｃ）の離間は、通常状態以外、即ち、通常状態から使用状態への遷移状態及び使用状態の全体を通じて生じている。図２２（ａ）に示す通常状態から手洗い器を回転させ、第１半球体７１ａ及び第２半球体７１ｂがそれぞれ第１凹部７３ａ及び第２凹部７３ｂへの嵌め込みから解放され始めた時には既に、貯水タンク１ｃと受水皿（１１、３ｃ）との間には離間が生じている。即ち、図２２（ｂ）および（ｃ）以外の回転角度の場合であっても、通常状態でなければ貯水タンク１ｃと受水皿（１１、３ｃ）との間には離間が生じていることとなる。貯水タンク１ｃと受水皿（１１、３ｃ）との間に離間が生じていると、受水皿（１１、３ｃ）の回転時の摩擦を低減することができ、回転動作が容易となる。通常状態から使用状態のみならず、使用状態から通常状態に戻す際にも、通常状態に至るまでは貯水タンク１ｃと受水皿（１１、３ｃ）は離間しているため、受水皿（１１、３ｃ）の回転時の摩擦を低減することができ、回転動作が容易となる。更に、第１半球体７１ａ及び第２半球体７１ｂがそれぞれ第１凹部７３ａ及び第２凹部７３ｂに嵌め込まれることで、使用状態から通常状態に戻ったことが体感的に検知可能である点も利点である。第１半球体７１ａ及び第２半球体７１ｂがそれぞれ第１凹部７３ａ及び第２凹部７３ｂに嵌め込まれると、図２１に示す排水部７ｂの下部ユニット（６５、６３、６９）の浮き上がりが解消され、同時に、貯水タンク１ｃと受水皿（１１、３ｃ）の離間も解消され、図２２（ａ）のように接した状態へ戻る。
【００６５】
第３変形例に係る手洗い器によれば、受水皿（１１、３ｃ）の回転動作により、水受板１１及び吐水部の吐出口が使用者の手前側に近づくため、使用者の姿勢に無理なく手洗いを可能とする。第３変形例に係る手洗い器によれば、腰部等の関節部位に慢性的な痛みを抱える人や、背の低い子供に対しても、手洗い時に前傾姿勢を強いることが無くなる。
【００６６】
第３変形例に係る手洗い器によれば、受水皿（１１、３ｃ）の回転動作により、受水皿（１１、３ｃ）及び吐水部の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００６７】
第３変形例に係る手洗い器によれば、排水部７ｂを構成する第１配管６１及び第３配管６３が金属素材、第２配管６５が樹脂素材である場合、排水部の配管に生じやすいサビや腐食が起こりにくく、受水皿（１１、３ｃ）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００６８】
第３変形例に係る手洗い器によれば、回転させる前は貯水タンク１ｃの上方に位置させておけるので、邪魔にもならない。
【００６９】
第３変形例に係る手洗い器によれば、貯水タンク１ｃからの受水皿（１１、３ｃ）の取り外しが容易に行えるため、貯水タンク１ｃの内部部材のメンテナンスも容易に行うことができる。
【００７０】
（第１実施形態の第４変形例）
図２３及び図２４に、第１実施形態の第４変形例として、第１辺縁部を有さない貯水タンク１ｄに接続する排水部７及び排水部７周辺の構造を示す。排水部７は、第１実施形態に係る排水部７と同様の構造であり、同様の機能を果たす。第４変形例に係る貯水タンク１ｄには第１辺縁部がなく、第２辺縁部の延長として突縁部３３ｄを有する。図２３に示すように、第４変形例に係る貯水タンク１ｄは上部周縁に上方に突出した上縁部を有するが、この上縁部は第１実施形態に係る貯水タンク１には無い。又、図２３に示すように、第４変形例に係る受水皿（１１、３ｄ）は下部周縁に下方に突出した下縁部を有するが、この下縁部は第１実施形態に係る受水皿（１１、３）には無い。図２３に示すように、第４変形例に係る貯水タンク１ｄの上縁部と受水皿（１１、３ｄ）の下縁部は通常状態で接する。従って、第１実施形態に係る手洗い器においては、貯水タンク１と受水皿（１１、３）とは離間するが、第４変形例に係る手洗い器においては、貯水タンク１ｄと受水皿（１１、３ｄ）は通常状態で接する点が異なる点である。第４変形例に係る貯水タンク１ｄは、第２辺縁部の延長として突縁部３３ｄを有するが、突縁部３３ｄを有するのであれば第２辺縁部は必ずしも必要ない。図２３に示されていない構成部材は、第１実施形態に係る手洗い器及び貯水タンク１と同様である。
【００７１】
又、第４変形例に係る受水皿（１１、３ｄ）の下面１２には、図２３に示すように、凸部として下向きのボールトランスファ（７５ａ、７５ｃ、７６ａ）が固定されている。図２３においては、ボールトランスファ（７５ａ、７５ｃ、７６ａ）は、対称に配置された４つのロードボール、即ち、第１ロードボール７５ａ、第２ロードボール（図示省略）、第３ロードボール７５ｃ及び第４ロードボール（図示省略）と、４つのロードボールを保持するボール受け部７６ａを含む。ボールトランスファ（７５ａ、７５ｃ、７６ａ）は、図２３においては第１固定具６７ａにも固定されているが、ボールトランスファ（７５ａ、７５ｃ、７６ａ）自体が第１配管６１を固定するのであれば、第１固定具６７ａは必ずしも必要ではない。第１ロードボール７５ａは金属であっても樹脂であってもよい。第２ロードボール（図示省略）、第３ロードボール７５ｃ、第４ロードボール（図示省略）及びボール受け部７６ａにおいても同様である。
【００７２】
図２３に示すように、第１ロードボール７５ａは通常状態において、突縁部３３ｄの上面のボール摺動部７８ａの上面に設けられた第１凹部７７ａに嵌め込まれている。第１凹部７７ａはお椀型、即ち、球欠形状の窪みであり、第１ロードボール７５ａの下部側とほぼ隙間なく接することができる。第１凹部７７ａの窪みの深さは１〜５ｍｍ程度が好ましく、２〜３ｍｍ程度がより好ましい。第２ロードボール（図示省略）、第３ロードボール７５ｃ及び第４ロードボール（図示省略）とそれらに対応する凹部においても同様である。第４変形例においてはロードボール及び凹部は４組であるが、２組又は３組であってもよいし、５組以上であってもよい。ボール受け部７６ａは、図２３においては４つのロードボールを保持する一つの部材であるが、４つのロードボールそれぞれに対応する凹部を有する別個のケーシングであってもよい。
【００７３】
図２４（ａ）〜（ｃ）を用いて、第４変形例に係る手洗い器の回転動作時の、排水部７の周辺部の挙動について説明する。まず図２４（ａ）は通常状態の図２３に示す排水部７の下部ユニット（６５、６３、６９）を上から見た図である。図２２に示す第３変形例の場合と同様に、点線の円で示された第１ロードボール位置７５ａｐは第１ロードボール７５ａの位置を示すものであり、図２４（ａ）の場合は、第１ロードボール７５ａは第１凹部７７ａのちょうど真上に位置することを示す。同様に、点線の円で示された第２ロードボール位置７５ｂｐは第２ロードボールの位置を示すものであり、図２４（ａ）の場合は、第２ロードボールは第２凹部７７ｂのちょうど真上に位置することを示す。同様に、点線の円で示された第３ロードボール位置７５ｃｐは第３ロードボール７５ｃの位置を示すものであり、図２４（ａ）の場合は、第３ロードボール７５ｃは第３凹部７７ｃのちょうど真上に位置することを示す。同様に、点線の円で示された第４ロードボール位置７５ｄｐは第４ロードボールの位置を示すものであり、図２４（ａ）の場合は、第４ロードボールは第４凹部７７ｄのちょうど真上に位置することを示す。第４変形例に係る４つのロードボールは、図２３に示す環状のボール受け部７６ａに、９０度ずつ等間隔に離間して配置されている。同様に、第４変形例に係る４つの凹部は、環状のボール摺動部７８ａに、９０度ずつ等間隔に離間して配置されている。図２４（ａ）の通常状態においては、第４変形例の４つのロードボールは、対応する４つの凹部にそれぞれ嵌め込まれている状態である。
【００７４】
図２４（ａ）の状態から図２４（ａ）の矢印方向に第４変形例に係る手洗い器を４５度回転させると、図２４（ｂ）の状態となり、図２３に示す第４変形例に係る手洗い器の受水皿（１１、３ｄ）に固定されているボールトランスファ（７５ａ、７５ｃ、７６ａ）の４つのロードボールの位置が変動する。図２４（ｂ）においては、第１ロードボール位置７５ａｐ、第２ロードボール位置７５ｂｐ、第３ロードボール位置７５ｃｐ及び第４ロードボール位置７５ｄｐはそれぞれ、第１凹部７７ａ、第２凹部７７ｂ、第３凹部７７ｃ及び第４凹部７７ｄの外側である。即ち、図２４（ｂ）においては、第１ロードボール７５ａ、第２ロードボール、第３ロードボール７５ｃ及び第４ロードボールはそれぞれ、第１凹部７７ａ、第２凹部７７ｂ、第３凹部７７ｃ及び第４凹部７７ｄへの嵌め込みから解放され、突縁部３３ｄにおける窪み外の平面に接している。図２４（ｂ）の状態においては、図２３に示す排水部７の下部ユニット（６５、６３、６９）から、上部ユニット（６１、６７ａ）が手洗い器ごと凹部の深さ分浮き上がることになる。同時に、図２３及び図２４（ａ）の通常状態では接していた貯水タンク１ｄと受水皿（１１、３ｄ）との間も、凹部の深さ分離間することになる。
【００７５】
図２４（ｂ）の状態から図２４（ｂ）の矢印方向に第４変形例に係る手洗い器を更に４５度回転させると、図２４（ｃ）の状態となり、第４変形例に係る手洗い器の受水皿（１１、３ｄ）に固定されている４つのロードボールの位置が更に変動する。図２４（ｃ）においては、第１ロードボール位置７５ａｐは第２凹部７７ｂへ、第２ロードボール位置７５ｂｐは第３凹部７７ｃへ、第３ロードボール位置７５ｃｐは第４凹部７７ｄへ、第４ロードボール位置７５ｄｐは第１凹部７７ａへ、それぞれ移動している。即ち、図２４（ｃ）は、図２４（ａ）のロードボールの嵌め込み状態から、元の位置から９０度異なる凹部へ嵌め込まれた状態へ変化したものである。図２４（ｃ）においては、第４変形例に係る４つのロードボールすべてが凹部へ嵌め込まれた状態であるため、図２３に示す排水部７ｂの下部ユニット（６５、６３、６９）の浮き上がりが解消され、同時に、貯水タンク１ｄと受水皿（１１、３ｄ）の離間も解消され、図２３のように再び接した状態となる。
【００７６】
貯水タンク１ｄと受水皿（１１、３ｄ）の離間は、通常状態及び９０度回転させた使用状態以外、即ち、０度を超えて９０度未満の回転角度における全体を通じて生じている。図２４（ａ）に示す通常状態から手洗い器を回転させ、４つのロードボールがそれぞれ対応する４つの凹部への嵌め込みから解放され始めた時には既に、貯水タンク１ｄと受水皿（１１、３ｄ）との間には離間が生じている。即ち、図２４（ｂ）以外の回転角度の場合であっても、通常状態及び９０度回転させた使用状態でなければ貯水タンク１ｄと受水皿（１１、３ｄ）との間には離間が生じていることとなる。貯水タンク１ｄと受水皿（１１、３ｄ）との間に離間が生じていると、受水皿（１１、３ｄ）の回転時の摩擦を低減することができ、回転動作が容易となる。９０度以外の任意の回転角度の使用状態から通常状態に戻す際にも、通常状態に至るまでは貯水タンク１ｄと受水皿（１１、３ｄ）は離間しているため、受水皿（１１、３ｄ）の回転時の摩擦を低減することができ、回転動作が容易となる。更に、４つのロードボールがそれぞれ４つの凹部に嵌め込まれることで、９０度の使用状態に至ったこと又は通常状態に戻ったことが体感的に検知可能である点も利点である。
【００７７】
第４変形例に係る手洗い器によれば、受水皿（１１、３ｄ）の回転動作により、水受板１１及び吐水部の吐出口が使用者の手前側に近づくため、使用者の姿勢に無理なく手洗いを可能とする。第４変形例に係る手洗い器によれば、腰部等の関節部位に慢性的な痛みを抱える人や、背の低い子供に対しても、手洗い時に前傾姿勢を強いることが無くなる。
【００７８】
第４変形例に係る手洗い器によれば、受水皿（１１、３ｄ）の回転動作により、受水皿（１１、３ｄ）及び吐水部の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００７９】
第４変形例に係る手洗い器によれば、排水部７を構成する第１配管６１及び第３配管６３が金属素材、第２配管６５が樹脂素材である場合、排水部の配管に生じやすいサビや腐食が起こりにくく、受水皿（１１、３ｄ）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００８０】
第４変形例に係る手洗い器によれば、回転させる前は貯水タンク１ｄの上方に位置させておけるので、邪魔にもならない。
【００８１】
第４変形例に係る手洗い器によれば、貯水タンク１ｄからの受水皿（１１、３ｄ）の取り外しが容易に行えるため、貯水タンク１ｄの内部部材のメンテナンスも容易に行うことができる。
【００８２】
（第１実施形態の第５変形例）
図２５及び図２６に、第１実施形態の第５変形例として、第１辺縁部を有さない貯水タンク１ｄに接続する排水部７及び排水部７周辺の構造を示す。図２５に示すように、第５変形例に係る手洗い器及び貯水タンク１ｄにおいては、構造として、ボールトランスファ（７５ｅ、７５ｇ、７６ｂ）が第４変形例と異なる部分であり、その他の部材や接続、機能等は第４変形例と同様である。又、図２５に示されていない構成部材についても、第４変形例に係る手洗い器及び貯水タンク１ｄと同様である。
【００８３】
図２５に示すように、第５変形例に係る受水皿（１１、３ｄ）の下面１２には、図２５に示すように、凸部として下向きのボールトランスファ（７５ｅ、７５ｇ、７６ｂ）が固定されている。図２５においては、ボールトランスファ（７５ｅ、７５ｇ、７６ｂ）は、４つのロードボール、即ち、第１ロードボール７５ｅ、第２ロードボール（図示省略）、第３ロードボール７５ｇ及び第４ロードボール（図示省略）と、４つのロードボールを保持するボール受け部７６ｂを含む。ボールトランスファ（７５ｅ、７５ｇ、７６ｂ）は、図２５においては第１固定具６７ａにも固定されているが、ボールトランスファ（７５ｅ、７５ｇ、７６ｂ）自体が第１配管６１を固定するのであれば、第１固定具６７ａは必ずしも必要ではない。第１ロードボール７５ｅは金属であっても樹脂であってもよい。第２ロードボール（図示省略）、第３ロードボール７５ｇ、第４ロードボール（図示省略）及びボール受け部７６ｂにおいても同様である。
【００８４】
図２５に示すように、第１ロードボール７５ｅは通常状態において、突縁部３３ｄの上面のボール摺動部７８ｂの上面に設けられた第１凹部７７ｅに嵌め込まれている。第１凹部７７ｅはお椀型、即ち、球欠形状の窪みであり、第１ロードボール７５ｅの下部側とほぼ隙間なく接することができる。第１凹部７７ｅの窪みの深さは１〜５ｍｍ程度が好ましく、２〜３ｍｍ程度がより好ましい。第２ロードボール（図示省略）、第３ロードボール７５ｇ及び第４ロードボール（図示省略）とそれらに対応する凹部においても同様である。第５変形例においてはロードボール及び凹部は４組であるが、２組又は３組であってもよいし、５組以上であってもよい。ボール受け部７６ｂは、図２５においては４つのロードボールを保持する一つの部材であるが、４つのロードボールそれぞれに対応する凹部を有する別個のケーシングであってもよい。
【００８５】
図２６（ａ）〜（ｃ）を用いて、第５変形例に係る手洗い器の回転動作時の、排水部７の周辺部の挙動について説明する。まず図２６（ａ）は通常状態の図２５に示す排水部７の下部ユニット（６５、６３、６９）を上から見た図である。図２２に示す第３変形例の場合と同様に、点線の円で示された第１ロードボール位置７５ｅｐは第１ロードボール７５ｅの位置を示すものであり、図２６（ａ）の場合は、第１ロードボール７５ｅは第１凹部７７ｅのちょうど真上に位置することを示す。同様に、点線の円で示された第２ロードボール位置７５ｆｐは第２ロードボールの位置を示すものであり、図２６（ａ）の場合は、第２ロードボールは第２凹部７７ｆのちょうど真上に位置することを示す。同様に、点線の円で示された第３ロードボール位置７５ｇｐは第３ロードボール７５ｇの位置を示すものであり、図２６（ａ）の場合は、第３ロードボール７５ｇは第３凹部７７ｇのちょうど真上に位置することを示す。同様に、点線の円で示された第４ロードボール位置７５ｈｐは第４ロードボールの位置を示すものであり、図２６（ａ）の場合は、第４ロードボールは第４凹部７７ｈのちょうど真上に位置することを示す。第５変形例に係る４つのロードボールは、図２５に示す環状のボール受け部７６ｂにおいて、第１ロードボール７５ｅと第２ロードボールは４５度、第２ロードボールと第３ロードボール７５ｇは１３５度、第３ロードボール７５ｇと第４ロードボールは４５度、それぞれ離間して配置されている。同様に、第５変形例に係る４つの凹部は、環状のボール摺動部７８ｂに、第１凹部７７ｅと第２凹部７７ｆは４５度、第２凹部７７ｆと第３凹部７７ｇは１３５度、第３凹部７７ｇと第４凹部７７ｈは４５度、それぞれ離間して配置されている。図２６（ａ）の通常状態においては、第５変形例の４つのロードボールは、対応する４つの凹部にそれぞれ嵌め込まれている状態である。
【００８６】
図２６（ａ）の状態から図２６（ａ）の矢印方向に第５変形例に係る手洗い器を４５度回転させると、図２６（ｂ）の状態となり、図２５に示す第５変形例に係る手洗い器の受水皿（１１、３ｄ）に固定されているボールトランスファ（７５ｅ、７５ｇ、７６ｂ）の４つのロードボールの位置が変動する。図２６（ｂ）においては、第１ロードボール位置７５ｅｐは第２凹部７７ｆ、第３ロードボール位置７５ｇｐは第４凹部７７ｈであり、第２ロードボール位置７５ｆｐ及び第４ロードボール位置７５ｈｐはそれぞれ４つの凹部の外側にある。即ち、図２６（ｂ）においては、第２ロードボール及び第４ロードボールはそれぞれ、４つの凹部への嵌め込みから解放され突縁部３３ｄにおける窪み外の平面に接している。そのため、第１ロードボール７５ｅ及び第３ロードボール７５ｇもそれぞれ第２凹部７７ｆ及び第４凹部７７ｈの真上には存在するが、それぞれの凹部の窪みには嵌め込まれずに浮いた状態である。従って、図２６（ｂ）の状態においては、図２５に示す排水部７の下部ユニット（６５、６３、６９）から、上部ユニット（６１、６７ａ）が手洗い器ごと凹部の深さ分浮き上がることになる。同時に、図２５及び図２６（ａ）の通常状態では接していた貯水タンク１ｄと受水皿（１１、３ｄ）との間も、凹部の深さ分離間することになる。
【００８７】
図２６（ｂ）の状態から図２６（ｂ）の矢印方向に第５変形例に係る手洗い器を更に４５度回転させると、図２６（ｃ）の状態となり、第５変形例に係る手洗い器の受水皿（１１、３ｄ）に固定されている４つのロードボールの位置が更に変動する。図２６（ｃ）においては、第１ロードボール位置７５ｅｐ、第２ロードボール位置７５ｆｐ、第３ロードボール位置７５ｇｐ及び第４ロードボール位置７５ｈｐはいずれも４つの凹部の外側に位置する。即ち、図２６（ｃ）の状態においては、図２５に示す排水部７の下部ユニット（６５、６３、６９）から、上部ユニット（６１、６７ａ）が手洗い器ごと凹部の深さ分浮き上がった状態のままである。同時に、図２５及び図２６（ａ）の通常状態では接していた貯水タンク１ｄと受水皿（１１、３ｄ）との間も、凹部の深さ分離間したままである。
【００８８】
貯水タンク１ｄと受水皿（１１、３ｄ）の離間は、通常状態以外の回転角度における全体を通じて生じている。図２６（ａ）に示す通常状態から手洗い器を回転させ、４つのロードボールがそれぞれ対応する４つの凹部への嵌め込みから解放され始めた時には既に、貯水タンク１ｄと受水皿（１１、３ｄ）との間には離間が生じている。即ち、図２６（ｂ）及び（ｃ）以外の回転角度の場合であっても、通常状態でなければ貯水タンク１ｄと受水皿（１１、３ｄ）との間には離間が生じていることとなる。貯水タンク１ｄと受水皿（１１、３ｄ）との間に離間が生じていると、受水皿（１１、３ｄ）の回転時の摩擦を低減することができ、回転動作が容易となる。任意の回転角度の使用状態から通常状態に戻す際にも、通常状態に至るまでは貯水タンク１ｄと受水皿（１１、３ｄ）は離間しているため、受水皿（１１、３ｄ）の回転時の摩擦を低減することができ、回転動作が容易となる。更に、４つのロードボールがそれぞれ４つの凹部に嵌め込まれることで、通常状態に戻ったことが体感的に検知可能である点も利点である。
【００８９】
第５変形例に係る手洗い器によれば、受水皿（１１、３ｄ）の回転動作により、水受板１１及び吐水部の吐出口が使用者の手前側に近づくため、使用者の姿勢に無理なく手洗いを可能とする。第５変形例に係る手洗い器によれば、腰部等の関節部位に慢性的な痛みを抱える人や、背の低い子供に対しても、手洗い時に前傾姿勢を強いることが無くなる。
【００９０】
第５変形例に係る手洗い器によれば、受水皿（１１、３ｄ）の回転動作により、受水皿（１１、３ｄ）及び吐水部の吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【００９１】
第５変形例に係る手洗い器によれば、排水部７を構成する第１配管６１及び第３配管６３が金属素材、第２配管６５が樹脂素材である場合、排水部の配管に生じやすいサビや腐食が起こりにくく、受水皿（１１、３ｄ）の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【００９２】
第５変形例に係る手洗い器によれば、回転させる前は貯水タンク１ｄの上方に位置させておけるので、邪魔にもならない。
【００９３】
第５変形例に係る手洗い器によれば、貯水タンク１ｄからの受水皿（１１、３ｄ）の取り外しが容易に行えるため、貯水タンク１ｄの内部部材のメンテナンスも容易に行うことができる。
【００９４】
（第２実施形態）
本発明の第２実施形態に係る手洗い器は、図１５〜図２０に示すように、トイレの貯水タンク１に付属する手洗い器であって、貯水タンク１の上方に位置する箱状の受水皿（１１ａ、３ａ）と、水受板１１ａから貯水タンク１の内部に通じる管状の排水部７ａと、吐水配管部（４４ａ、６ａ、５ａ）とを備える手洗い器である。受水皿（１１ａ、３ａ）は、貯水タンク１の上方に位置する水受板１１ａ、水受板１１ａの上面の周縁に接続され、水受板１１ａの上面の上方に構成される空間を箱状に囲む側壁部３ａを有する。吐水配管部（４４ａ、６ａ、５ａ）は、貯水タンク１の内部から水受板１１ａの上面に通じる給水管４４ａと、給水管４４ａに接続された吐水管６ａと、吐水管６ａの先端に設けられた吐水部５ａを有する。本発明の第２実施形態に係る手洗い器は、吐水配管部（４４ａ、６ａ、５ａ）の垂直立ち上がり部の中心軸を回転軸として、貯水タンク１に対して水平方向に９０度以上回転させることができる。例えば、吐水配管部（４４ａ、６ａ、５ａ）の垂直立ち上がり部の配管の円柱部分を円筒型摺動軸受けとすることができる。吐水配管部（４４ａ、６ａ、５ａ）の垂直立ち上がり部としては、貯水タンク１の内部に位置する円柱状の給水管４４ａを用いることができる。即ち、貯水タンク１の内部に位置する給水管４４ａの中心軸を回転軸として、受水皿（１１ａ、３ａ）を回転する場合は、給水管４４ａの円柱部分を円筒型摺動軸受けとすることができる。第２実施形態に係る手洗い器及び貯水タンク１は、図１等に示す第１実施形態に係る手洗い器及び貯水タンク１と比較して、排水部７ａ及び、吐水配管部（４４ａ、６ａ、５ａ）の構造、位置及び摺動部分とする部位が異なる。
【００９５】
第２実施形態に係る手洗い器は、図１５等に示す貯水タンク１の上方に配置される。貯水タンク１は、第１実施形態に係る手洗い器と同様に、便器本体（図示省略）の奥側の上方部、かつ、便蓋（図示省略）の奥側に設置される。貯水タンク１は陶器製であっても樹脂製であってもよい。陶器製の場合は、表面に樹脂コーティングが施されていてもよい。樹脂製の場合は、高強度かつ撥水性に優れた有機ガラス系素材や、加工性及び耐衝撃性に優れたＡＢＳ樹脂、高強度かつ耐酸性に優れたＰＢＴ樹脂等を用いることができる。貯水タンク１は、第１実施形態に係る手洗い器と同様に、第１辺縁部３１及び第２辺縁部３２を有する。
【００９６】
第２実施形態に係る貯水タンク１においては、第１実施形態に係る手洗い器と同様に、図２０に示すように、第２辺縁部３２から延長された突縁部３３が水平方向に設けられている。突縁部３３は、図２０に示すように、吐水部５ａの給水管４４ａが貫通し、手洗い器の回転及び脱着が可能な程度に固定する。突縁部３３は、貫通する部材以外は、第１実施形態に係る突縁部３３と同様の構造を有する。
【００９７】
図１５〜図２０に示すように、受水皿（１１ａ、３ａ）は吐水部５ａから吐出される水を受ける。上面が水受面となり、上面に対向するように下面がある。水受面には、排水部７ａに向かって勾配があってもよい。下面は貯水タンク１から離間している方が、回転時に第２実施形態に係る手洗い器と貯水タンク１との摩擦を低減することができるため好ましい。離間の程度は、貯水タンク１の内部に貯められた水から生じる湿気や衛生的な観点から、１〜５ｍｍ程度が好ましい。下面が貯水タンク１から離間していない場合であれば、下面及び貯水タンク１の上部は樹脂製又は樹脂コーディングされていることが、摩擦の観点からは好ましい。受水皿（１１ａ、３ａ）の形状は図１５等においては略矩形であるが、角がとれた角丸四角形ってあってもよいし、楕円形状であってもよい。受水皿（１１ａ、３ａ）の素材は、全体が樹脂であっても陶器であってもよい。
【００９８】
図１５〜図２０に示すように、側壁部３ａは、水受板１１ａの周縁から立ち上がるように設けられている。図１５等においては、側壁部３ａは水受板１１ａと一体型の構造で示されているが、別々の構造を接続してもよい。図１５等においては、側壁部３ａは排水部７ａや吐水部５ａに近い方が高い構造であるが、これは一例に過ぎない。側壁部３ａの壁の高さはどの部位でも同じ程度でもよいし、部位により異なるように設定してもよい。又、図１５等においては、側壁部３ａは水受板１１ａの周縁すべてに設けられているが、水受板１１ａの一部に側壁部３ａが設けられていなくてもよい。
【００９９】
水受板１１ａと側壁部３ａとで上部が開放された箱型形状を成す。この箱型形状は、図１７及び図２０に示すように、中空部材であってもよいし、中空部材でなくてもよい。
【０１００】
図１５〜図２０に示すように、排水部７ａは受水皿（１１ａ、３ａ）の水受面のうち、使用者から見て左側、かつ、奥側に設けられている。図１７及び図２０に示すように、排水部７ａは受水皿（１１ａ、３ａ）の水受面から貯水タンク１の内部に通じる管状部材である。排水部７ａは、図１７及び図２０における中空の水受板１１ａの上面及び下面を貫通し、貯水タンク１の内部に通じている。排水部７ａは、受水皿（１１ａ、３ａ）で受けた水を貯水タンク１の内部に排水する機能を有する。排水部７ａの長さは、図１７及び図２０において、排水部７ａの下端が、満杯状態の水９１の水面に接触しない程度であればいずれでもよい。排水部７ａのうち貯水タンク１の内部に位置する部分は、手洗い器の回転動作に伴って貯水タンク１の内部空間を動くものであるため、排水部７ａの下端は図２０等に示す浮き玉４９の満杯状態の頂部の位置よりも上方に位置する方が好ましい。
【０１０１】
排水部７ａは、図１５等においては左側であるが、使用者から見て奥側であれば右側に設けられていてもよい。図１５及び図１６等に示すように、排水部７ａの上部には嵌め込み型のキャッチャーが設けられていてもよい。
【０１０２】
図１７及び図２０等に示すように、吐水部５ａは、貯水タンク１の内部から突縁部３３を貫通して受水皿（１１ａ、３ａ）に設けられた物置台１３ａの上面に通じる給水管４４ａと、給水管４４ａの上端に接続する吐出口から構成される。図１７においては、吐水部５ａの吐出口は、水が吐出される部分として矩形で図示されているが、形状は問わない。吐水部５ａの吐出口は、貯水タンク１の内部及び外部でそれぞれ折れ曲がった形状の給水管４４ａの上端に設けられている。給水管４４ａの形状は問わない。給水管４４ａの下端は、第１実施形態に係る給水管４４と同様に、貯水タンク１の内部でボールタップ４３に接続され、ボールタップ４３は貯水タンク１の外側の給水ホース４１に接続されている。ボールタップ４３はバルブ４５にも接続され、給水ホース４１側から吐水部５ａへの給水がコントロールされている。給水管４４ａは、貯水タンク１の内部と外部とで別個の部材であるが、同一の素材から成るものでもよい。図１７及び図２０に示す給水管４４ａは、少なくとも貯水タンク１の内部側の部材においては、蛇腹管等の形状可変な部材であっても、金属管のような形状不変の部材であってもよい。給水管４４ａの貯水タンク１の内部側の部材は円筒型摺動軸受けも兼ねる。このため、給水管４４ａの円柱部分が回転摺動部分をなし、２本又は３本の配管を用いた構造で回転自在にする構成が好ましい。２本又は３本の配管を用いた円筒型摺動軸受けの構造は、既に第１実施形態に係る排水部７、第１変形例に係る排水部７ｂ又は第２変形例に係る排水部７ｃで説明した構造である。給水管４４ａの上端に接続する吐水管６ａ及び吐水管６ａに接続される吐水部５ａからは、給水管４４ａを通ってきた水が吐出される。吐水部５ａからの吐出方法は、水圧を分散させる観点から、如雨露タイプの吐出口からのシャワー形式でもそれ以外でもよい。
【０１０３】
図１７に示す第２実施形態に係る手洗い器を付属させたトイレの便器洗浄時の貯水方法は、図３における第１実施形態に係る手洗い器を付属させたトイレの便器洗浄時の貯水方法と同様である。
【０１０４】
第２実施形態に係る貯水タンク１は、人間の腰程度に位置するロータンク式であれば、図１等に示す第１実施形態に係る貯水タンク１と同様に、便器本体にタンクを載せる「密結型」であってもよいし、壁に固定されたタンクから洗浄管で便器と接続する「平付型」であってもよい。貯水タンク１に貯水する方法は、タンクに貯水ができるのであれば、図１７で示す貯水タンク１の内部構造を用いた貯水方法でもよいし、それ以外であってもよい。
【０１０５】
図１７において、便器洗浄のためにレバー１９を動作させると、レバー１９に接続された連結部５１が動き、連結部５１に接続されたゴム製のフロートバルブ５３が排水弁５７から浮き上がる。すると、満杯状態であった水９１が便器本体側に流れ込み、便器が洗浄される。ある程度まで水９１の水位が下がると、再びフロートバルブ５３が排水弁５７に蓋をする。又、水９１の水位が下がると、水９１の水面に浮いている浮き玉４９も伴って下降し、浮き玉４９に連結された浮き玉支持棒４７が下がり、バルブ４５を動作させ、給水ホース４１側から吐水部５ａへの給水が開始される。吐水部５ａへ給水された水は、第２実施形態に係る手洗い器の受水皿（１１ａ、３ａ）の水受面で受けられ、排水部７ａから貯水タンク１の内部に貯められていく。貯められた水９１の水位が所定の位置までくると、浮き玉４９も所定の位置に戻り、間接的に連結しているバルブ４５が栓をし、給水ホース４１側から吐水部５ａへの給水が停止され、再び貯水タンク１の内部の水９１が満杯状態となる。
【０１０６】
図１５及び図１６等に示すように、第２実施形態に係る手洗い器は、受水皿（１１ａ、３ａ）の水受面の一部に、物置台１３ａを有する。物置台１３ａは凸状の物置面１７ａを上面に有し、物置面１７ａには手洗い用石鹸や液体ハンドソープ等を戴置することができる。図１５及び図１６等においては、物置台１３ａは使用者の手前側、かつ、左側に配置されているが、物置台としての用を為し、手洗い時の障害とならないのであれば、位置は特に限定しない。
【０１０７】
図１５〜図２０に示すように、第２実施形態に係る手洗い器は、図１等に示す第１実施形態に係る手洗い器と同様に、タオル掛け（１５、２１、２３）を有する。第２実施形態に係る手洗い器のタオル掛け（１５、２１、２３）は、第１実施形態に係るタオル掛け（１５、２１、２３）と同様の構造、他部材との接続、機能等を有する。
【０１０８】
（回転動作）
第２実施形態に係る手洗い器の受水皿（１１ａ、３ａ）は、図１５〜図１７に示す通常状態から図１８〜図２０に示す使用状態へ、貯水タンク１に対する相対的な位置を変化させることができる。例えば、図１５等に示す第１保持具２１の突出部分を手で掴み、手前側に引くことで、吐水配管部（４４ａ、６ａ、５ａ）の給水管４４ａの中心軸を回転軸として、図１８等に示す状態まで手洗い器ごと回転させることができる。実際には給水管４４ａの円柱部分が回転摺動部分をなして、給水管４４ａの中心軸を回転軸として受水皿（１１ａ、３ａ）が回転する。回転角度は少なくとも０度〜９０度までの範囲であれば、使用者が使用時に任意に決めることができ、任意の回転角度で第２実施形態に係る手洗い器を停止させることができる。９０度を超えて回転させることができてもよい。回転速度も使用者の任意である。回転させるタイミングは、吐水部５ａからの吐水が開始される前、即ち、レバー１９を動作させて便器洗浄を行う前でも良いし、吐水部５ａからの吐水が開始された後、即ち、レバー１９を動作させて便器洗浄を始めた後であってもよい。勿論、吐水部５ａからの吐水を伴わずとも、例えば貯水タンク１の内部部材や水９１の水位の確認等のために、第２実施形態に係る手洗い器を任意の角度まで回転させることも可能である。図１８等の状態へ回転させる場合だけでなく、図１８等の状態から通常状態である図１５等の状態へ戻す際にも同様である。
【０１０９】
第２実施形態に係る手洗い器は、回転角度を所定の範囲内に収めるために、水受板１１ａ又は側壁部３ａに、回転ストッパーを設けてもよい。回転ストッパーの構造、機能等については、図１等に示す第１実施形態に係る手洗い器の場合と同様であるので、説明を省略する。
【０１１０】
第２実施形態に係る手洗い器の回転は、使用者が自身のタイミングで動作させる「手動」であってもよいし、レバー１９の動作と連動する「自動」であってもよい。自動の場合は、別途電子的な信号を送信する専用のボタンを設け、そのボタンを押下することで、使用者のタイミングで自動に回転するようにしてもよい。又、自動の場合は、回転することを使用者へ事前にアナウンスするため、アラーム音や音声アナウンスを発するようにプログラムしてもよい。図１８等の状態へ回転させる場合だけでなく、図１８等の状態から通常状態である図１５等の状態へ戻す際にも同様である。
【０１１１】
第２実施形態に係る手洗い器を、図１５等の通常状態から図１８等の使用状態まで回転させる際は、排水部７ａは、突縁部３３の縁に沿った動線で、又は、突縁部３３の縁から離間した動線で動くこととなる。排水部７ａが第１辺縁部３１に接触するまで、第２実施形態に係る手洗い器は回転することができる。
【０１１２】
第２実施形態に係る排水部７ａの中心軸は、図１等に示す第１実施形態に係る手洗い器の排水部７のようにその中心軸が回転軸を構成するものではないため、配管１本で構成することが可能である。第２実施形態に係る手洗い器では、給水管４４ａの円筒部分の中心軸が回転軸となるため、例えば、図９等に示す第１実施形態に係る排水部７の第１配管６１、第２配管６５及び第３配管６３のように、３層の軸受け構造であってもよい。又は、図１３等に示す第２変形例の排水部７ｃの第１配管６５ｃ及び第２配管６３ｃのように、２層の軸受け構造であってもよい。
【０１１３】
図１５〜図１７の状態から、第２実施形態に係る手洗い器を貯水タンク１から分離させる動作は、第２実施形態に係る手洗い器の側壁部３ａ等に手をかけて上方に持ち上げることで容易に行うことができる。第２実施形態に係る手洗い器と貯水タンク１が分離した状態から、図１５〜図１７の状態へ戻す動作も同様に、第２実施形態に係る手洗い器の側壁部３ａに手をかけて、給水管４４ａを構成する複数の配管のうち、径が小さい配管を径が大きい配管に挿入するように設置することで容易に行うことができる。
【０１１４】
第２実施形態に係る手洗い器においては、水受板１１ａの下面と貯水タンク１の第１辺縁部３１の上面とはわずかに離間しているのが好ましい。即ち、第２実施形態に係る手洗い器と貯水タンク１とは、給水管４４ａを介して接続があるが、それ以外の部分での接触はない。よって、第２実施形態に係る手洗い器の重量は、給水管４４ａ及び突縁部３３から構成される「接続部」のみで受けることとなる。水受板１１ａの下面と貯水タンク１の第１辺縁部３１の上面の離間の程度は、貯水タンク１の内部に貯められた水から生じる湿気の影響や衛生的な観点から、１〜５ｍｍ程度が好ましい。
【０１１５】
第２実施形態に係る手洗い器において、水受板１１ａの下面と第１辺縁部３１の上面との離間の程度は、図示は省略するが第１実施形態に係る手洗い器と同様に、給水管４４ａを構成する複数の配管の固定具の高さを調節することにより、調整することができる。
【０１１６】
第２実施形態に係る手洗い器によれば、手洗い器の回転動作により、受水皿（１１ａ、３ａ）及び吐水部５ａの吐出口が使用者の手前側に近づくため、使用者の姿勢に無理なく手洗いを可能とする。例えば、吐出口が受水皿（１１ａ、３ａ）の中心の真上に位置し、横３３ｃｍ及び奥行き２２ｃｍの第２実施形態に係る手洗い器において、図１５等の通常状態と図１８等の使用状態の吐出口の位置を比較すると、使用状態の方が１８〜２３ｃｍも使用者の手前側に寄ることとなった。第２実施形態に係る手洗い器によれば、手洗い器を回転させた使用状態では図１８に示すような配置となるので、腰部等の関節部位に慢性的な痛みを抱える人や、背の低い子供に対しても、手洗い時に前傾姿勢を強いることが無くなる。
【０１１７】
第２実施形態に係る手洗い器によれば、手洗い器の回転動作により、受水皿（１１ａ、３ａ）及び吐水部５ａの吐出口が使用者の手前側に近づくため、手洗い時の水はねも生じにくい。更に、タオル掛けにタオルを用意しておけば、手洗い位置と手拭き位置とが近接するため、水が滴り落ちることはほとんどなく、継続的に衛生的に使用可能となる。
【０１１８】
第２実施形態に係る手洗い器によれば、手洗い器の水受板１１ａの下面を貯水タンク１の第１辺縁部３１の上面から離間させておくことで、手洗い器の回転時の摩擦を低減することができ、回転動作が容易となる。
【０１１９】
第２実施形態に係る手洗い器によれば、給水管４４ａを構成する複数の配管が金属素材及び樹脂素材の組合せである場合、複数の配管に生じやすいサビや腐食が起こりにくく、手洗い器の回転動作や脱着動作に支障を来さずに使用をすることができる。又、金属素材どうしを直接接触させないため、金属素材どうしの場合に発生し得るような音も低減することができる。更に、樹脂素材は交換が容易であるため、メンテナンスもしやすくなる。
【０１２０】
第２実施形態に係る手洗い器によれば、受水皿（１１ａ、３ａ）を回転させる前は、図１５等の通り、貯水タンク１の上方に位置させておけるので、邪魔にもならない。
【０１２１】
第２実施形態に係る手洗い器によれば、貯水タンク１からの受水皿（１１ａ、３ａ）の取り外しが容易に行えるため、貯水タンク１の内部部材のメンテナンスも容易に行うことができる。
【０１２２】
（その他の実施形態）
上記のように、本発明は上記の第１及び第２実施形態と複数の変形例によって記載したが、この開示の一部をなす論述及び図面は本発明を限定するものであると理解すべきではない。この開示から当業者には様々な代替実施の形態、実施例及び運用技術が明らかとなろう。
【０１２３】
例えば、図１１及び図１２に示す第１変形例において、第１固定具６７ｂは有さずとも、第２配管６５の「耳」部分の厚みを１〜５ｍｍ程度に設定することで、水受板１１の下面１２と突縁部３３の上面を離間させることが可能となる。第１配管６１を水受板１１に固定するには、第１配管６１を接着剤等で水受板１１に固定する等、代替手段を採用することができる。
【０１２４】
又、図９等の第２配管６５等を樹脂製にする場合は、一箇所に長手方向の上から下まで切れ込みのある円柱形状でもよい。切れ込みがある円柱形状の樹脂配管は、見かけの径がわずかではあるが変化し得るため、取り出しやすく、又、手洗い器の回転動作中又は脱着動作中に生じ得るある程度の圧力変化への耐性を得やすい。即ち、切れ込みがある円柱形状の樹脂配管は、メンテナンスがしやすい利点がある。
【０１２５】
更に、手洗い器の吐水については、図１等及び図１５等に示すような単水栓からの吐水ではなく、側壁部の内側に設けられた複数の吐水口から、噴水状に吐水される仕組みであってもよい。その際の複数の吐水口への給水は、例えば、給水管が側壁部の内部に張り巡らされて実現されてもよい。
【０１２６】
更に、図２１等における第１実施形態の第３変形例等で示す凸部である半球体を嵌め込むための凹部は、通常状態において半球体の下部側が隙間なく嵌め込まれるような球欠形状の窪みでなくてもよい。例えば、半球体の移動方向に合わせて球欠形状から尾が伸びたような、平面形が「彗星型」又は「涙型」と呼べるタイプの窪みであってもよい。凹部が「彗星型」又は「涙型」の場合は、半球体の移動開始時の動作がスムーズとなり、手洗い器の回転をより容易にする効果がある。又、同様の理由で、凹部は平面形が「ラグビーボール型」のような、球欠形の両側をやや伸ばしたような形状の窪みであってもよい。凹部のそれぞれの間には、図２７に例示するように、ロードボールのガイドとなるような案内溝７９が設けられていてもよい。
【０１２７】
更に言えば、図２１等における第１実施形態の第３変形例等で示す凸部である半球体や、図２３等における第１実施形態の第４変形例等で示す凸部であるボールトランスファは、受水皿の下面ではなく、貯水タンクの上部の突縁部等に設けられていてもよい。即ち、第３変形例及び第４変形例では下向きの凸部であったが、上向きの凸部を貯水タンク側に設け、凹部を受水皿の下面に設ける等、上下逆の構造としてもよいのである。凸部と凹部とを上下逆としても、回転動作時の摩擦を軽減する等の効果は同様に発揮する。
【０１２８】
このように、本発明はここでは記載していない様々な実施形態等を含むことは勿論である。したがって、本発明の技術的範囲は上記の説明から妥当と解釈しうる、特許請求の範囲に係る発明特定事項によってのみ定められるものである。
【符号の説明】
【０１２９】
１、１ｂ、１ｃ、１ｄ…貯水タンク  
３、３ａ、３ｃ、３ｄ…側壁部
５、５ａ…吐水部
６、６ａ…吐水管
７、７ａ、７ｂ、７ｃ…排水部
１１、１１ａ…水受板
１２…（水受板１１ａの）下面
１３、１３ａ…物置台
１５…バー
１７、１７ａ…物置面
１９…レバー
２１…第１保持具
２３…第２保持具
３１…第１辺縁部
３２…第２辺縁部
３３、３３ｃ、３３ｄ…突縁部
４１…給水ホース
４３…ボールタップ
４４、４４ａ…給水管
４５…バルブ
４７…浮き玉支持棒
４９…浮き玉
５１…連結部
５３…フロートバルブ
５５…オーバーフロー管
５７…排水弁
６１、６５ｃ…第１配管
６３…第３配管
６５、６３ｃ…第２配管
６７ａ、６７ｂ…第１固定具
６９…第２固定具
７１ａ…第１半球体
７１ｂ…第２半球体
７１ａｐ…第１半球体位置
７１ｂｐ…第２半球体位置
７３ａ、７７ａ、７７ｅ…第１凹部
７３ｂ、７７ｂ、７７ｆ…第２凹部
７５ａ、７５ｅ…第１ロードボール
７５ａｐ、７５ｅｐ…第１ロードボール位置
７５ｂｐ、７５ｆｐ…第２ロードボール位置
７５ｃ、７５ｇ…第３ロードボール
７５ｃｐ、７５ｇｐ…第３ロードボール位置
７５ｄｐ、７５ｈｐ…第４ロードボール位置
７６ａ、７６ｂ…ボール受け部
７８ａ、７８ｂ…ボール摺動部
７９…案内溝
８１…便蓋
８３…便器本体
９１…水
【要約】
【課題】手洗い時及び手洗い後の水はねを低減する貯水タンクシステム及び手洗い器を提供する。
【解決手段】貯水タンク１と、貯水タンク１の内部に配置される給水調節機構と、貯水タンク１の上方に位置する箱状の受水皿（１１、３）と、受水皿（１１、３）の底部から貯水タンク１の内部に通じる管状の排水部７と、給水調節機構に接続され受水皿（１１、３）の底部に通じる給水管及びこの給水管に接続された吐水管６、この吐水管６の先端に設けられた吐水部５を有する吐水配管部を備える。受水皿（１１、３）を、排水部７の中心軸又は吐水配管部の垂直立ち上がり部の中心軸を回転軸として、貯水タンク１に対して水平方向に９０度以上回転させることができる。
【選択図】図５【図１】
0006727638.tif 000002
【図２】
0006727638.tif 000003
【図３】
0006727638.tif 000004
【図４】
0006727638.tif 000005
【図５】
0006727638.tif 000006
【図６】
0006727638.tif 000007
【図７】
0006727638.tif 000008
【図８】
0006727638.tif 000009
【図９】
0006727638.tif 000010
【図１０】
0006727638.tif 000011
【図１１】
0006727638.tif 000012
【図１２】
0006727638.tif 000013
【図１３】
0006727638.tif 000014
【図１４】
0006727638.tif 000015
【図１５】
0006727638.tif 000016
【図１６】
0006727638.tif 000017
【図１７】
0006727638.tif 000018
【図１８】
0006727638.tif 000019
【図１９】
0006727638.tif 000020
【図２０】
0006727638.tif 000021
【図２１】
0006727638.tif 000022
【図２２】
0006727638.tif 000023
【図２３】
0006727638.tif 000024
【図２４】
0006727638.tif 000025
【図２５】
0006727638.tif 000026
【図２６】
0006727638.tif 000027
【図２７】
0006727638.tif 000028